(57)【要約】【課題】ユーザによる煩雑な操作を軽減する表示装置の提供【解決手段】表示装置（１００）は、操作指示体が表示面に対して近接した距離にある近接状態を検知する近接状態検知手段（１６６）と、上記表示面に対象物のプレビュー画像が表示されている場合において、上記近接状態検知手段により検知された上記近接状態が予め定められた第１の近接条件を満たしたときに、上記対象物に対するフォーカスを調整するフォーカス調整手段（３０８）とを備える。【選択図】図３
2015026943.tif 000002
【特許請求の範囲】
【請求項１】
対象物を撮像する撮像手段と、
操作指示体が表示面に対して近接した距離にある近接状態を検知する近接状態検知手段と、
上記撮像手段のフォーカスを調整するフォーカス調整手段とを備え、
上記フォーカス調整手段は、上記表示面に上記対象物のプレビュー画像が表示されている場合において、上記近接状態検知手段により検知された上記近接状態が予め定められた第１の近接条件を満たしたときに、上記対象物に対するフォーカスを調整する、ことを特徴とする表示装置。
【請求項２】
上記表示面に対する上記操作指示体の接触状態を検知する接触状態検知手段と、
上記フォーカス調整手段が上記フォーカスを調整した後に、上記接触状態検知手段により上記接触状態が検知されたときに、上記撮像手段のシャッターを制御するシャッター制御手段とをさらに備えている、ことを特徴とする請求項１に記載の表示装置。
【請求項３】
上記フォーカス調整手段が上記フォーカスを調整した後に、上記近接状態検知手段により検知された上記近接状態が予め定められた第２の近接条件を満たしたときに、上記撮像手段のシャッターを制御するシャッター制御手段をさらに備えている、ことを特徴とする請求項１に記載の表示装置。
【請求項４】
上記シャッター制御手段により撮像された上記対象物の画像を上記表示面に所定時間表示させ、当該所定時間内に、上記表示面上における所定のジェスチャを検知した場合、当該画像を消去する消去手段をさらに備える、ことを特徴とする請求項２または３に記載の表示装置。
【請求項５】
操作指示体が表示面に対して近接した距離にある近接状態を検知する近接状態検知ステップと、
対象物を撮像する撮像手段のフォーカスを調整するフォーカス調整ステップとを含み、
上記フォーカス調整ステップは、上記表示面に上記対象物のプレビュー画像が表示されている場合において、上記近接状態検知ステップにて検知された上記近接状態が予め定められた第１の近接条件を満たしたときに、上記対象物に対するフォーカスを調整するステップである、ことを特徴とする表示装置の制御方法。
【発明の詳細な説明】
【技術分野】
【０００１】
本発明は、表示面に対して操作指示体が近接している近接状態を検知することが可能な表示装置、そのような表示装置に適用可能な制御方法、制御プログラム、および記録媒体に関する。
【背景技術】
【０００２】
タッチパネル、及びカメラを備えた様々な電子機器、例えば、タブレットＰＣ、及びスマートフォンなどが広く普及している。近年では、タッチパネルの表示面に対する操作指示体の接触だけでなく、表示面から所定距離の範囲内に操作指示体を近接させた状態である近接状態を検知し、検知した近接状態を伴う入力操作を受け付けることができるものがある。そのような撮影装置の一例として、特許文献１には、筐体に設けられた所定領域に、操作者の指が非接触な状態で、該所定領域と前記操作者の指の位置との間の相対位置の情報を取得し、前記相対位置の情報に基づいて前記ファインダーに指示位置画像を表示させる撮影装置が開示されている。
【先行技術文献】
【特許文献】
【０００３】
【特許文献１】特開２０１２−１９１５７０号公報（２０１２年１０月４日公開）
【発明の概要】
【発明が解決しようとする課題】
【０００４】
しかしながら、上述のような従来技術においては、電子機器におけるカメラの撮像操作は、（１）被写体にフォーカスを合わせる、（２）被写体を撮像する、という２回のタッチ操作が必要であり、撮像が完了するまでの操作がユーザにとって煩雑であるという課題がある。
【０００５】
本発明は、上記の課題に鑑みて行われたものであり、その目的は、ユーザによる煩雑な撮像操作を軽減することが可能な表示装置を提供することにある。
【課題を解決するための手段】
【０００６】
上記の課題を解決するために、本発明の一態様に係る表示装置は、対象物を撮像する撮像手段と、表示面に対する操作指示体の近接状態を検知する近接状態検知手段と、上記撮像手段のフォーカスを調整するフォーカス調整手段とを備え、上記フォーカス調整手段は、上記表示面に上記対象物のプレビュー画像が表示されている場合において、上記近接状態検知手段により検知された上記近接状態が予め定められた第１の近接条件を満たしたときに、上記対象物に対するフォーカスを調整する、ことを特徴とする。
【０００７】
また、上記の課題を解決するために、本発明の一態様に係る表示装置の制御方法は、表示面に対する操作指示体の近接状態を検知する近接状態検知ステップと、対象物を撮像する撮像手段のフォーカスを調整するフォーカス調整ステップとを含み、上記フォーカス調整ステップは、上記表示面に上記対象物のプレビュー画像が表示されている場合において、上記近接状態検知ステップにて検知された上記近接状態が予め定められた第１の近接条件を満たしたときに、上記対象物に対するフォーカスを調整するステップである、ことを特徴とする。
【発明の効果】
【０００８】
本発明の一態様によれば、ユーザによる煩雑な撮像操作を軽減することが可能な表示装置を提供することができる。
【図面の簡単な説明】
【０００９】
【図１】本発明の一実施形態に係る情報端末装置の外観図である。
【図２】図１に示す情報端末装置のハードウェア構成を示すブロック図である。
【図３】図１に示す情報端末装置の機能構成を示すブロック図である。
【図４】図３に示す情報端末装置による処理の手順の一例を示すフローチャートであり、（ａ）は、情報端末装置がフォーカスを調整するまでの手順を示し、（ｂ）は、情報端末装置が撮像処理を完了するまでの手順を示している。
【図５】図３に示す情報端末装置による処理の手順の一例を示すフローチャートであり、（ａ）は、情報端末装置がフォーカスを調整するまでの手順を示し、（ｂ）は、情報端末装置が撮像処理を完了するまでの手順を示している。
【図６】図３に示す情報端末装置による撮像された画像の消去処理の手順を示すフローチャートである。
【図７】図３に示す情報端末装置による基準距離の設定処理の手順を示すフローチャートである。
【図８】図３に示す情報端末装置の動作の具体例を示す図であり、（ａ）は、情報端末装置が行うフォーカス調整を示し、（ｂ）は情報端末装置が行う撮像処理の一例を示し、（ｃ）は、情報端末装置が行う撮像処理の他の一例を示している。
【発明を実施するための形態】
【００１０】
＜実施形態１＞
以下、図１〜図４を参照して、本発明の実施形態１に係る情報端末装置１００（表示装置）について説明する。
【００１１】
〔情報端末装置１００の概要〕
図１は、本発明の実施形態１に係る情報端末装置１００の外観図である。図１に示す情報端末装置１００は、いわゆる携帯情報端末装置である。図１に示すように、情報端末装置１００は、主要な構成物として、筐体１０２と、ディスプレイ１１０と、タッチパネル１２０（接触状態検知手段）と、を備えている。筐体１０２の背面には、カメラ１５０（撮像手段）が設けられている。また、筐体１０２の表面には、他の入力デバイスとして、複数の操作ボタン１３０が設けられている。
【００１２】
本実施形態の情報端末装置１００では、タッチパネル１２０は、さらに、ディスプレイ１１０の表示面に対する操作指示体の近接状態を検知する近接センサ１６６（近接状態検知手段）としての機能を有する。これにより、タッチパネル１２０は、操作指示体による接触を伴う入力操作のみならず、操作指示体による非接触且つ近接状態を伴う入力操作（以下、「近接操作」と示す。）が可能となっている。
【００１３】
〔情報端末装置１００のハードウェア構成〕
図２は、本発明の実施形態１に係る情報端末装置１００のハードウェア構成を示すブロック図である。図２に示すように、情報端末装置１００は、制御回路１７０、記憶装置１０６、ディスプレイ駆動回路１０８、ディスプレイ１１０、タッチパネル１２０、操作ボタン１３０、無線通信モジュール１４０、カメラ１５０、および近接センサ１６６を備えている。これらの構成部は、情報端末装置１００の筐体１０２に内蔵されている。
【００１４】
制御回路１７０は、ＣＰＵ等のプロセッサ１７２、ＲＯＭ（Read Only Memory）１７４、ＲＡＭ（Random Access Memory）１７６、等を備えて構成されている。記憶装置１０６は、ＯＳ（Operating System）プログラムや、各種アプリケーションプログラム、各種制御プログラム、各種データ等を記憶する。
【００１５】
ディスプレイ駆動回路１０８は、制御回路１７０から供給された映像信号に応じてディスプレイ１１０を駆動する。これにより、ディスプレイ１１０は、情報端末装置１００によるプログラムの実行結果に応じた表示内容を有する映像を表示する。
【００１６】
無線通信モジュール１４０は、ＬＡＮやインターネット等の通信ネットワークへの無線アクセスを制御する。
【００１７】
カメラ１５０は、画像を撮像する撮像手段の一具体例である。図１に示すように、情報端末装置１００においては、カメラ１５０は、筐体１０２の背面に設けられており、筐体１０２の後方の画像（静止画および動画）を撮像することが可能となっている。カメラ１５０により撮像された画像を示す画像データは、ＲＡＭ１７６等に格納される。カメラ１５０には、例えばレンズ、フォトセンサ、制御回路等の構成部品を備えて構成された、デジタルカメラが用いられる。カメラ１５０の各機能（例えば、シャッター機能、フォーカス機能、ズーム機能等）は、情報端末装置１００にインストールされているアプリケーションによって制御される。
【００１８】
近接センサ１６６は、ディスプレイ１１０の表示面に対する操作指示体の近接状態を検知する。近接センサ１６６は、少なくとも、操作指示体が表示面に近接しているか否かを検知可能であればよい。さらに近接センサ１６６が検知した近接状態に基づいて、表示面から操作指示体までの距離（以下、「近接距離」と記載）を算出することが可能に構成されていることが好ましい。後者の場合、情報端末装置１００は、表示面から操作指示体までの近接距離に応じて処理を異ならせることが可能となる。近接センサ１６６には、ディスプレイ１１０の表示面に対する操作指示体の近接状態を接触的または非接触的に検知することが可能な各種センサを採用することができる。本実施形態では、タッチパネル１２０が静電容量式を採用しているため、タッチパネル１２０によって近接センサ１６６の機能を実現しているが、タッチパネル１２０とは別に近接センサ１６６を設ける構成としてもよい。情報端末装置１００の内部において、近接センサ１６６によって検知された近接状態の検知位置は、例えば、表示面上の位置を特定するためのｘ座標およびｙ座標によって示され、上述のＲＡＭ１７６等に一時的に格納される。
【００１９】
〔情報端末装置１００の機能構成〕
図３は、本発明の実施形態１に係る情報端末装置１００の機能構成を示すブロック図である。図３に示すように、本実施形態の情報端末装置１００は、条件格納部３００、判定部３０４、継続時間計測部３０６（継続時間計測手段）、フォーカス調整部３０８（フォーカス調整手段）、シャッター制御部３１０（シャッター制御手段）、基準距離設定部３１２（設定手段）、入力操作判定部３１４、および画像消去処理部３１６（消去手段）を備えている。なお、本実施形態においては、基準距離設定部３１２、入力操作判定部３１４、および画像消去処理部３１６を備えない構成としてもよい。
【００２０】
条件格納部３００は、各種判断処理のための各種条件を格納する。本実施形態の条件格納部３００には、少なくとも以下の条件（１）、および（２）が格納されていればよい。
【００２１】
（１）第１の基準距離
当該条件「（１）第１の基準距離」ｄ１は、近接状態が検知された場合に、近接距離が第１の近接条件を満たしているか否か、すなわち、予め定められた第１の基準距離を越えているか否かを判別するための基準距離として用いられる。第１の基準距離ｄ１としては、近接センサ１６６が検知可能な値以下であり、かつ０よりも大きい値が設定される。
【００２２】
（２）基準時間
当該条件「（２）基準時間」は、後述する継続時間計測部３０６が計測した時間が、予め定められた基準時間を越えているか否か、すなわち、近接距離が第１の近接条件を満たしている時間が、予め定められた基準時間を越えているか否かを判別するための基準時間として用いられる。継続時間計測部３０６が計測した時間が、当該条件「（２）基準時間」を越えている場合には、検知された近接状態が、近接操作のための近接状態、すなわちユーザが意図した近接操作であると判定することができる。本実施形態において、基準時間としては、500msecが設定されるが、本発明はこれに限定されず、ユーザの所望の時間を設定することが可能なように構成されてもよい。
【００２３】
判定部３０４は、上記表示面に対し上記操作指示体が近接した場合、その近接距離ｄを取得する。判定部３０４は、近接距離ｄが、上記条件「（１）第１の基準距離」未満であり、かつ０より大きいか否かを判定する。
【００２４】
継続時間計測部３０６は、近接状態が近接操作のための近接状態である旨をフォーカス調整部３０８に通知する。近接状態が近接操作のための近接状態であるか否かを判定するために継続時間計測部３０６が行う処理については、参照する図面を代えて後述する。
【００２５】
フォーカス調整部３０８は、継続時間計測部３０６から、上記近接状態が近接操作のための近接状態である旨が通知されると、上記近接状態の検知位置を示す位置情報（以下、「第１の位置情報」と記載）を取得する。既に説明したとおり、近接センサ１６６によって検知された近接状態の検知位置は、例えば、表示面上の位置を特定するためのｘ座標およびｙ座標によって示され、上述のＲＡＭ１７６等に一時的に格納される。したがって、フォーカス調整部３０８は、上述のＲＡＭ１７６等を参照することにより、第１の位置情報を取得することができる。フォーカス調整部は、表示面において第１の位置情報が示す位置に表示されている対象物にフォーカスを合わせるように、カメラ１５０のフォーカスを調整する。フォーカス調整部３０８は、カメラ１５０のフォーカス調整が完了すると、フォーカス調整が完了したか否かを示すフォーカスフラグをＯＮにし、シャッター制御部３１０に通知する。
【００２６】
シャッター制御部３１０は、タッチパネル１２０が表示面に対する接触状態を検知すると、上記接触状態の検知位置を示す位置情報（以下、「第２の位置情報」と記載）を取得する。タッチパネル１２０によって検知された接触状態の検知位置は、例えば、表示面上の位置を特定するためのｘ座標およびｙ座標によって示され、上述のＲＡＭ１７６等に一時的に格納される。したがって、シャッター制御部３１０は、ＲＡＭ１７６等を参照することにより第２の位置情報を取得することができる。また、シャッター制御部３１０は、第２の位置情報を取得した場合に、フォーカスフラグがＯＮかＯＦＦを判定する。シャッター制御部３１０は、フォーカスフラグがＯＦＦである場合に、表示面において第２の位置情報が示す位置に表示されている対象物にフォーカスを合わせる指示をフォーカス調整部３０８に送信する。シャッター制御部３１０は、フォーカスフラグがＯＮである場合に、第２の位置情報が示す位置が第１の位置情報が示す位置の近傍であるか否かを判定する。近傍であるか否かの判断としては、第１の位置情報のｘ座標およびｙ座標と、第２の位置情報のｘ座標およびｙ座標との差分をそれぞれ算出し、各差分がいずれも予め定められた値以下である場合に近傍であると判断すればよい。シャッター制御部３１０は、第２の位置情報が示す位置が、第１の位置情報が示す位置の近傍であると判定した場合に、カメラ１５０のシャッターを制御することにより、撮像処理を行う。
【００２７】
〔情報端末装置１００による処理の手順〕
図４は、本発明の実施形態１に係る情報端末装置１００による処理の手順を示すフローチャートであり、（ａ）は、情報端末装置がフォーカスを調整するまでの手順を示し、（ｂ）は、情報端末装置が撮像処理を完了するまでの手順を示している。
【００２８】
まず、近接センサ１６６は、表示面に対する操作指示体の近接状態を検知すると、その近接距離ｄを取得する（Ｓ４０２）。判定部３０４により、距離ｄが「ｄ１＞ｄ＞０」を満たさないと判定された場合（Ｓ４０４：ＮＯ）、継続時間計測部３０６は、ＲＡＭ１７６等に格納されている時刻ｔ１およびｔ２をリセットする（Ｓ４０６）。情報端末装置１００は、Ｓ４０２へ処理を戻す。判定部３０４により、距離ｄが「ｄ１＞ｄ＞０」を満たすと判定された場合（Ｓ４０４：ＹＥＳ）、継続時間計測部３０６は、判定部３０４により当該判定が行われた時刻を取得し、時刻ｔ１としてＲＡＭ１７６等に一時的に格納する（Ｓ４０８）。時刻ｔ２が初期値を示している場合（Ｓ４１０：ＹＥＳ）、継続時間計測部３０６は、時刻ｔ２の値として時刻ｔ１の値を設定（Ｓ４１２）し、情報端末装置１００は、Ｓ４０２へ処理を戻す。時刻ｔ２が初期値を示していない場合（Ｓ４１０：ＮＯ）、継続時間計測部３０６は、時刻ｔ１と時刻ｔ２との差分を算出し、当該差分と基準時間とを比較する（Ｓ４１４）。当該差分が基準時間より小さい場合（Ｓ４１４：ＮＯ）、情報端末装置１００は、Ｓ４０２へ処理を戻す。当該差分が基準時間より大きい場合（Ｓ４１４：ＹＥＳ）、継続時間計測部３０６は、当該近接状態が近接操作のための近接状態である旨をフォーカス調整部３０８に通知する。
【００２９】
フォーカス調整部３０８は、上記近接状態の検知位置を示す第１の位置情報を取得し（Ｓ４１６）、第１の位置情報が示す位置に表示されている対象物にフォーカスを合わせるように、カメラ１５０のフォーカスを調整する（Ｓ４１８）。フォーカス調整部３０８は、フォーカスフラグをＯＮにし、シャッター制御部３１０に通知する（Ｓ４２０）。
【００３０】
続いて、情報端末装置１００の撮像処理について説明する。情報端末装置１００は、タッチパネル１２０により接触状態が検知されるまで処理待ちの状態である（Ｓ４２２：ＮＯ）。タッチパネル１２０により接触状態が検知される（Ｓ４２２：ＹＥＳ）と、シャッター制御部３１０は、上記接触状態の検知位置を示す第２の位置情報を取得する（Ｓ４２３）。シャッター制御部３１０は、フォーカスフラグがＯＦＦである場合（Ｓ４２４：ＮＯ）、表示面において第２の位置情報が示す位置に表示されている対象物にフォーカスを合わせる指示をフォーカス調整部３０８に送信する。フォーカス調整部３０８は、第２の位置情報が示す位置に表示されている対象物にフォーカスを合わせるように、カメラ１５０のフォーカスを調整する（Ｓ４１９）。フォーカス調整部３０８は、フォーカスフラグをＯＮにし、シャッター制御部３１０に通知する（Ｓ４２０）。その後、情報端末装置１００は、Ｓ４２２へ処理を戻す。
【００３１】
シャッター制御部３１０は、フォーカスフラグがＯＮである場合（Ｓ４２４：ＹＥＳ）に、第２の位置情報が示す位置が、第１の位置情報が示す位置の近傍であるか否かを判定する（Ｓ４２６）。シャッター制御部３１０が、近傍でないと判定した場合（Ｓ４２６：ＮＯ）に、情報端末装置１００は、Ｓ４１９以降の処理を実行する。シャッター制御部３１０は、近傍であると判定した場合（Ｓ４２６：ＹＥＳ）、カメラ１５０のシャッターを制御することにより、撮像処理を行う（Ｓ４２８）。
【００３２】
〔情報端末装置１００の動作〕
図８は、情報端末装置１００の動作の具体例を示す図である。図８の（ａ）に示すように、情報端末装置１００は、表示面に対する近接状態を検知することにより、上記近接状態の検知位置に表示されている対象物にフォーカスを合わせるように、フォーカスを調整する。また、図８の（ｂ）に示すように、情報端末装置１００は、フォーカス調整が完了した後に、検知された上記近接状態の近傍への接触状態を検知することにより、撮像処理を行う。したがって、ユーザは、情報端末装置１００の表示面に対して操作指示体を近接させた後に、表示面に対して操作指示体を接触させる、という一連の動作を行うことにより、フォーカス調整操作、および撮像操作を完了させることができる。すなわち、情報端末装置１００は、ユーザによる煩雑な撮像操作を軽減することができる。
【００３３】
＜実施形態２＞
本実施形態に係る情報端末装置１００について、図２、図３、および図５に基づいて説明すれば、以下の通りである。本実施形態に係る情報端末装置１００が、実施形態１に係る情報端末装置１００と異なる点は、近接状態を検知することによりフォーカスを調整した後に、接触状態ではなく、さらに近接した近接状態を検知することにより撮像処理が行われる点である。したがって、本実施形態に係る情報端末装置１００の構成は、図２、および図３に示した情報端末装置１００と略同様の構成であり、図３における入力操作判定部３１４、および画像消去処理部３１６を備えない構成としてもよい。
【００３４】
また、図３に示すように、本実施形態の条件格納部３００には、実施形態１における条件（１）、および（２）に加え、以下の条件（３）が格納されていればよい。
【００３５】
（３）第２の基準距離
当該条件「（３）第２の基準距離」ｄ２は、近接状態が検知された場合に、近接距離が第２の近接条件を満たしているか否か、すなわち、予め定められた第２の基準距離を越えているか否かを判別するための基準距離として用いられる。第２の基準距離ｄ２としては、近接センサ１６６が検知可能な値以下であって、第１の基準距離ｄ１未満であり、かつ０よりも大きい値が設定される。
【００３６】
図５は、本実施形態に係る情報端末装置１００による処理の手順を示すフローチャートである。以下では、図５を参照しながら、本実施形態に係る情報端末装置１００が行う処理と、実施形態１に係る情報端末装置１００が行う処理とが異なる点について説明する。
【００３７】
図５の（ａ）に示すように、本実施形態のフォーカスの調整処理においては、図４の（ａ）のＳ４０４の処理に代えて、Ｓ４０５の処理が行われる。
【００３８】
本実施形態において、判定部３０４は、距離ｄが「ｄ１＞ｄ＞ｄ２」を満たすか否かを判定する（Ｓ４０５）。「ｄ１＞ｄ＞ｄ２」を満たさないと判定された場合（Ｓ４０５：ＮＯ）、情報端末装置１００は、Ｓ４０６以降の処理を実行する。「ｄ１＞ｄ＞ｄ２」を満たすと判定された場合（Ｓ４０５：ＹＥＳ）、情報端末装置１００は、Ｓ４０８以降の処理を実行する。
【００３９】
本実施形態における撮像処理は、近接状態を検知することにより行われる。図５の（ｂ）に示すように、本実施形態においては、図４の（ｂ）に示すＳ４２２〜Ｓ４２３の処理に代えて、図５の（ａ）に示すフォーカスの調整処理と同様のＳ４０２〜Ｓ４１６の処理が行われる。ここで、Ｓ４０２〜Ｓ４１６の処理のうち、Ｓ４０５の処理に代えて、Ｓ４０７の処理が行われる。
【００４０】
本実施形態の撮像処理において、判定部３０４は、距離ｄが「ｄ２＞ｄ＞０」を満たすか否かを判定する（Ｓ４０７）。「ｄ２＞ｄ＞０」を満たさないと判定された場合（Ｓ４０７：ＮＯ）、情報端末装置１００は、Ｓ４０６以降の処理を実行する。「ｄ２＞ｄ＞０」を満たすと判定された場合（Ｓ４０７：ＹＥＳ）、情報端末装置１００は、Ｓ４０８以降の処理を実行する。また、図５の（ｂ）に示すように、本実施形態においては、図４の（ｂ）に示すＳ４２６の処理に代えて、Ｓ４２７の処理が行われる。
【００４１】
本実施形態の撮像処理において、シャッター制御部３１０は、フォーカスフラグがＯＮである場合（Ｓ４２４：ＹＥＳ）、Ｓ４１６にて取得した第１の位置情報が示す位置が、フォーカス調整処理において取得した第１の位置情報が示す位置の近傍であるか否かを判定する（Ｓ４２６）。シャッター制御部３１０が、近傍でないと判定した場合（Ｓ４２７：ＮＯ）、情報端末装置１００は、Ｓ４１８以降の処理を実行する。シャッター制御部３１０は、近傍であると判定した場合（Ｓ４２７：ＹＥＳ）、カメラ１５０のシャッターを制御することにより、撮像処理を行う（Ｓ４２８）。
【００４２】
なお、本実施形態において、情報端末装置１００は、距離ｄが「ｄ１＞ｄ＞ｄ２」を満たす場合にフォーカスを調整し、フォーカスを調整した後に、距離ｄが「ｄ２＞ｄ＞０」を満たす場合にシャッターを制御する構成としているが、本発明はこれに限定されない。例えば、距離ｄが「ｄ２＞ｄ＞０」を満たす場合にフォーカスを調整し、フォーカスを調整した後に、距離ｄが「ｄ１＞ｄ＞ｄ２」を満たす場合にシャッターを制御する構成としてもよい。上記の構成によれば、ユーザは、情報端末装置１００の表示面に対して操作指示体を近接させた後に、表示面に対して操作指示体を遠ざける、という一連の動作を行うことにより、フォーカス調整操作、および撮像操作を完了させることができる。
【００４３】
〔情報端末装置１００の動作〕
図８は、本実施形態の情報端末装置１００の動作の具体例を示す図である。特に、本実施形態において、図８の（ｃ）に示すように、本実施形態の情報端末装置１００は、フォーカス調整が完了した後に、検知された上記近接状態の近傍への近接状態を検知することにより、撮像処理を行う。したがって、ユーザは、情報端末装置１００の表示面に対して操作指示体を近接させた後に、表示面に対して操作指示体をさらに近接させる、という一連の動作を行うことにより、フォーカス調整操作、および撮像操作を完了させることができる。すなわち、情報端末装置１００は、ユーザによる煩雑な撮像操作を軽減することができる。
【００４４】
＜実施形態３＞
本実施形態に係る情報端末装置１００について、図２、図３、および図５に基づいて説明すれば、以下の通りである。本実施形態に係る情報端末装置１００が、実施形態１及び２に係る情報端末装置１００と異なる点は、撮像処理が完了した後に、撮像された対象物の画像（以下、「キャプチャ画像」と記載）を表示面に所定時間表示させ、当該所定時間内に、表示面上における所定のジェスチャを検知した場合、当該画像を消去する（キャンセルする）構成を備えている点である。したがって、本実施形態に係る情報端末装置１００の構成は、図２、および図３に示した情報端末装置１００と同様の構成を備えている。
【００４５】
また、図３に示すように、本実施形態の条件格納部３００には、実施形態１および２における条件（１）、（２）、および（３）に加え、以下の条件（４）が格納されている。
【００４６】
（４）消去条件
当該条件「（４）消去条件」は、キャプチャ画像を表示面に所定時間表示させている間において、ユーザから入力されたジェスチャがキャプチャ画像の消去を指示する所定のジェスチャであるか否かを判定するために用いられる。消去条件として、表示面に対する近接状態、または接触状態におけるジェスチャ（スワイプ、またはフリックなど）が設定される。
【００４７】
本実施形態の情報端末装置１００が行うフォーカスの調整処理、および撮像処理については図５に示した実施形態２における処置と同様のため、説明を省略する。
【００４８】
図６は、本実施形態の情報端末装置１００による画像の消去処理の手順を示すフローチャートである。
【００４９】
図４の（ａ）、および（ｂ）に示す処理、または図５の（ａ）、および（ｂ）に示す処理の何れかの処理により、画像を撮像すると、情報端末装置１００は、撮像したキャプチャ画像をＲＡＭ１７６等に格納し、当該キャプチャ画像を表示面に表示する（Ｓ８０２）。情報端末装置１００がキャプチャ画像を表示している時間が１秒以上経過している場合（Ｓ８０４：ＹＥＳ）、情報端末装置１００は、キャプチャ画像の表示を終了し（Ｓ８０６）、プレビュー画像の表示に戻る（Ｓ８１２）。情報端末装置１００がキャプチャ画像を表示している時間が１秒未満である場合（Ｓ８０４：ＮＯ）、入力操作判定部３１４は、ユーザから入力されたジェスチャが、上記条件「（４）消去条件」に該当するジェスチャであるか否かを判定する（Ｓ８０８）。入力操作判定部３１４は、消去条件に該当するジェスチャであると判定した場合（Ｓ８０８：ＹＥＳ）、画像消去処理部３１６に、キャプチャ画像を消去する指示を送信する。入力操作判定部３１４が、消去条件に該当するジェスチャではないと判定した場合（Ｓ８０８：ＮＯ）、情報端末装置１００は、Ｓ８０４へ処理を戻す。
【００５０】
画像消去処理部３１６は、入力操作判定部３１４からキャプチャ画像を消去する指示を受信すると、ＲＡＭ１７６等に格納されているキャプチャ画像を消去する（８１０）。キャプチャ画像が消去されることにより、情報端末装置１００は、プレビュー画像の表示に戻る（Ｓ８１２）。
【００５１】
上述のように、ユーザは、キャプチャ画像が表示面に表示されている間に、所定のジェスチャを入力することにより、当該キャプチャ画像を消去することができる。すなわち、情報端末装置１００は、例えば、ユーザが誤って表示面に接触することにより撮像処理が行われてしまった場合、または、表示面に対する近接状態が、ユーザの意図に反して近接操作であるとみなされることにより撮像処理が行われてしまった場合に、所定のジェスチャを判定することによりキャプチャ画像を消去することができる。なお、本実施形態において、キャプチャ画像を表示する時間を１秒として設定しているが、本発明はこれに限定されず、ユーザの所望の時間を設定することが可能なように構成されていてもよい。
【００５２】
〔基準距離の設定処理〕
上述の実施形態２および３において、情報端末装置１００は、条件格納部３００に格納されている第１の基準距離ｄ１、および第２の基準距離ｄ２を、ユーザに試行させた近接状態の検知結果に基づいて設定する基準距離設定部３１２をさらに備える構成としてもよい。
【００５３】
図７は、情報端末装置１００による基準距離の設定処理の手順を示すフローチャートである。本実施形態において、情報端末装置１００は、ユーザに近接状態を１秒間継続させ、その近接距離ｄの１秒間の平均値Ａｖｅに基づいて基準距離を設定する。また、基準距離としては、５ｍｍより大きい値を設定するが、本発明はこれに限定されない。例えば、近接センサが検知可能な距離の範囲内の値であり、かつ０より大きい値を設定する構成としてもよい。なお、第１の基準距離ｄ１を設定する手順と、第２の基準距離ｄ２を設定する手順とは同一の処理であるため、第１の基準距離ｄ１を設定する手順のみを説明する。
【００５４】
情報端末装置１００が、ユーザから基準距離の設定処理の開始を指示する操作を受け付けると、近接センサ１６６は、表示面に対する近接状態を検知し、その近接距離ｄの取得を開始する（Ｓ９０２）。近接距離ｄの取得を開始した時点において、平均値Ａｖｅが初期値である場合（Ｓ９０４：ＮＯ）、基準距離設定部３１２は、当該時点における近接距離ｄを平均値Ａｖｅとして設定する（Ｓ９０６）。その後、情報端末装置１００は、Ｓ９０２へ処理を戻す。
【００５５】
近接距離ｄの取得を開始した時点において、平均値Ａｖｅが初期値でない場合（Ｓ９０４：ＮＯ）に、基準距離設定部３１２は、当該時点における平均値Ａｖｅと、当該時点における近接距離ｄとの平均値（（Ａｖｅ＋ｄ）／２）を算出し、算出した平均値を平均値Ａｖｅとして再設定する。再設定した平均値Ａｖｅが５ｍｍ以下である場合（Ｓ９１０：ＮＯ）、継続時間計測部は、ＲＡＭ１７６等に格納されている時刻ｔ１およびｔ２をリセットする（Ｓ９１２）。その後、情報端末装置１００は、Ｓ９０２へ処理を戻し、Ｓ９０２以降の処理を再度実行する。再設定した平均値Ａｖｅが５ｍｍより大きい場合（Ｓ９１０：ＮＯ）、当該時点の時刻を示す時刻を取得し、時刻ｔ１としてＲＡＭ１７６等に一時的に格納する（Ｓ４０８）。
【００５６】
継続時間計測部３０６は、時刻ｔ２が初期値を示している場合（Ｓ９１６：ＹＥＳ）、時刻ｔ２の値として時刻ｔ１の値を設定する（Ｓ９１８）。その後、情報端末装置１００は、Ｓ９０２へ処理を戻す。継続時間計測部３０６は、時刻ｔ２が初期値を示していない場合（Ｓ９１６：ＮＯ）、時刻ｔ１と時刻ｔ２との差分を算出し、当該差分が１秒より大きい値であるか否かを判定する（Ｓ９２０）。当該差分が１秒以下である場合（Ｓ９２０：ＮＯ）、情報端末装置１００は、Ｓ９０２へ処理を戻す。当該差分が１秒より大きい値である場合（Ｓ９２０：ＹＥＳ）、基準距離設定部３１２は、平均値Ａｖｅを基準距離として設定する（Ｓ９２２）。
【００５７】
なお、上述したように、同様の処理によって第２の基準距離ｄ２を設定することができるが、条件「ｄ１＞ｄ２＞０」を満たすことが望ましいため、基準距離設定部３１２は、第２の基準距離ｄ２を設定した後に、上記条件「ｄ１＞ｄ２＞０」を満たしているか否かを判定する構成としてもよい。すなわち、上記条件「ｄ１＞ｄ２＞０」を満たしていない場合には、基準距離設定部３１２は、第２の基準距離ｄ２を再度設定するようにユーザに促す構成とすればよい。
【００５８】
〔ハードウェアと機能との関係〕
上述の各実施形態において、条件格納部３００は、例えば、図２に示したＲＯＭ１７４または記憶装置１０６によって、その機能が実現される。また、上述の判定部３０４、継続時間計測部３０６、フォーカス調整部３０８、シャッター制御部３１０、基準距離設定部３１２、入力操作判定部３１４、および画像消去処理部３１６は、例えば、図２に示した制御回路１７０によって、その機能が実現される。
【００５９】
〔ソフトウェアによる実現例〕
情報端末装置１００の制御ブロック（特に判定部３０４、継続時間計測部３０６、フォーカス調整部３０８、シャッター制御部３１０、基準距離設定部３１２、入力操作判定部３１４、および画像消去処理部３１６）は、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、情報端末装置１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６１】
〔まとめ〕
本発明の態様１に係る表示装置（情報端末装置１００）は、対象物を撮像する撮像手段（カメラ１５０）と、操作指示体が表示面に対して近接した距離にある近接状態を検知する近接状態検知手段（近接センサ１６６）と、上記撮像手段のフォーカスを調整するフォーカス調整手段（フォーカス調整部３０８）とを備え、上記フォーカス調整手段は、上記表示面に上記対象物のプレビュー画像が表示されている場合において、上記近接状態検知手段により検知された上記近接状態が予め定められた第１の近接条件を満たしたときに、上記対象物に対するフォーカスを調整する、ことを特徴とする。
【００６２】
上記の構成によれば、ユーザは、情報端末装置１００の表示面に対して操作指示体を近接させる動作を行うことにより、フォーカス調整を実行させることができる。このため、上記の構成によれば、ユーザは、表示面をタッチすることなく、情報端末装置１００にフォーカス調整を実行させることができる。したがって、情報端末装置１００によれば、ユーザによる煩雑な撮像操作を軽減することができる。
【００６３】
本発明の態様２に係る表示装置は、上記態様１において、上記表示面に対する上記操作指示体の接触状態を検知する接触状態検知手段（タッチパネル１２０）と、上記フォーカス調整手段が上記フォーカスを調整した後に、上記接触状態検知手段により上記接触状態が検知されたときに、上記撮像手段のシャッターを制御するシャッター制御手段（シャッター制御部３１０）をさらに備えている、ことが好ましい。
【００６４】
上記の構成によれば、ユーザは、情報端末装置１００の表示面に対して操作指示体を近接させた後に、表示面に対して操作指示体を接触させる、という動作を行うことにより、フォーカス調整操作、および撮像操作を完了させることができる。したがって、上記の構成によれば、情報端末装置１００は、ユーザによる煩雑な撮像操作を軽減することができる。
【００６５】
本発明の態様３に係る表示装置は、上記態様２において、上記第１の近接条件は、上記表示面と上記操作指示体との距離が、第１の基準距離未満である、ことが好ましい。
【００６６】
上記の構成によれば、第１の基準距離以上の近接状態を伴う操作が、フォーカス調整を指示する操作であるか否かを判別することができるため、ユーザ操作の誤判定を軽減することができる。
【００６７】
本発明の態様４に係る表示装置は、上記態様１において、上記フォーカス調整手段が上記フォーカスを調整した後に、上記近接状態検知手段により検知された上記近接状態が予め定められた第２の近接条件を満たしたときに、上記撮像手段のシャッターを制御するシャッター制御手段（シャッター制御部３１０）をさらに備えている、ことが好ましい。
【００６８】
上記の構成によれば、ユーザは、情報端末装置１００の表示面に対して操作指示体を近接させた後に、表示面に対して操作指示体をさらに近接させる、という一連の動作を行うことにより、フォーカス調整操作、および撮像操作を完了させることができる。したがって、上記の構成によれば、情報端末装置１００は、ユーザによる煩雑な撮像操作を軽減することができる。
【００６９】
本発明の態様５に係る表示装置は、上記態様４において、上記第１の近接条件は、上記表示面と上記操作指示体との距離が、第１の基準距離未満であり、上記第２の近接条件は、上記表示面と上記操作指示体との距離が、上記第１の基準距離よりも短い第２の基準距離未満である、ことが好ましい。
【００７０】
上記の構成によれば、ユーザは、情報端末装置１００の表示面に対して操作指示体を近接させた後に、表示面に対して操作指示体をさらに近接させる、という一連の動作を行うことにより、フォーカス調整操作、および撮像操作を完了させることができる。したがって、上記の構成によれば、情報端末装置１００は、ユーザによる煩雑な撮像操作をさらに軽減することができる。
【００７１】
本発明の態様６に係る表示装置は、上記態様４または５において、ユーザに試行させた近接状態の検知結果に基づいて、上記第１の近接条件、及び第２の近接条件を設定する設定手段（基準距離設定部３１２）をさらに備える、ことが好ましい。
【００７２】
上記の構成によれば、第１の基準距離、及び第２の基準距離として、ユーザの所望する基準距離を設定することができるので、ユーザの操作性向上に資する。
【００７３】
本発明の態様７に係る表示装置は、上記態様２から６において、上記シャッター制御手段により撮像された上記対象物の画像を上記表示面に所定時間表示させ、当該所定時間内に、上記表示面上における所定のジェスチャを検知した場合、当該画像を消去する消去手段（画像消去処理部３１６）をさらに備える、ことが好ましい。
【００７４】
上記の構成によれば、ユーザは、キャプチャ画像が表示面に表示されている間に、所定のジェスチャを入力することにより、当該キャプチャ画像を消去することができる。したがって、上記の構成によれば、情報端末装置１００は、例えば、表示面に対する近接状態が、ユーザの意図に反して近接操作であるとみなされ、撮像処理が行われてしまった場合に、所定のジェスチャを判定することによりキャプチャ画像を消去することができる。
【００７５】
本発明の態様８に係る表示装置は、上記態様１から７において、上記近接状態検知手段により検知された上記近接状態が予め定められた第１の近接条件を満たしている時間を計測する継続時間計測手段をさらに備え、上記フォーカス調整手段は、上記継続時間計測手段により計測された時間が、予め定められた基準時間を超えたときに、上記対象物に対するフォーカスを調整する、ことが好ましい。
【００７６】
上記の構成によれば、第１の基準距離以上の近接状態を伴う操作が、フォーカス調整を指示する操作であるか否かを容易に判別することができるため、ユーザ操作の誤判定をさらに軽減することができる。
【００７７】
本発明の態様９に係る表示装置の制御方法は、操作指示体が表示面に対して近接した距離にある近接状態を検知する近接状態検知ステップと、対象物を撮像する撮像手段のフォーカスを調整するフォーカス調整ステップとを含み、上記フォーカス調整ステップは、上記表示面に上記対象物のプレビュー画像が表示されている場合において、上記近接状態検知ステップにて検知された上記近接状態が予め定められた第１の近接条件を満たしたときに、上記対象物に対するフォーカスを調整するステップである、ことを特徴とする。
【００７８】
本発明の各態様に係る表示装置は、コンピュータによって実現してもよく、この場合には、コンピュータを上記表示装置が備える各手段として動作させることにより上記表示装置をコンピュータにて実現させる表示装置の制御プログラム、およびそれを記録したコンピュータ読み取り可能な記録媒体も、本発明の範疇に入る。
【００７９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８０】
本発明は、表示面に対して操作指示体が近接している近接状態を検知することが可能な表示装置に利用することができる。
【符号の説明】
【００８１】
１００  情報端末装置（表示装置）
１２０  タッチパネル（接触状態検知手段）
１５０  カメラ（撮像手段）
１６６  近接センサ（近接状態検知手段）
３００  条件格納部
３０４  判定部
３０６  継続時間計測部
３０８  フォーカス調整部（フォーカス調整手段）
３１０  シャッター制御部（シャッター制御手段）
３１２  基準距離設定部（設定手段）
３１４  入力操作判定部
３１６  画像消去処理部（消去手段）
【図１】
2015026943.tif 000003
【図２】
2015026943.tif 000004
【図３】
2015026943.tif 000005
【図４】
2015026943.tif 000006
【図５】
2015026943.tif 000007
【図６】
2015026943.tif 000008
【図７】
2015026943.tif 000009
【図８】
2015026943.tif 000010